(57)【特許請求の範囲】
【請求項１】
直方体状の短ブロックの上下面の左右両側に、台形状の凸部８、８を設け、前記短ブロック７の前面左右に、截頭円錐状のスペーサ部９、９を設け、該スペーサ部９、９の中間部に横孔１１を設けると共に、前記スペーサ部９、９の中央部に連結孔１２、１２を設けて短ブロックユニット１０とし、該短ブロックユニット１０の３つを一組とし、その２つを上下にずらして積み上げ、他の１つを斜に配置して、前記一方の短ブロックの凸部８を他方の短ブロックの平面に当接掛止させて正面平行四辺形の配列コンクリートブロックを構成し、該配列コンクリートブロックの線対称形の配列コンクリートブロックも構成し、前記配列コンクリートブロックを交互に複数列重ね合せにし、前記夫々の連結孔に連結部材を挿通して前記重ね合わせた全配列コンクリートブロックを一体的に緊締したことを特徴とする組立てコンクリートブロック。
【請求項２】
長ブロック１の上下面の左右両側及び中央部に、台形状の凸部２、２を設け、前記長ブロック１の前面左右両側及び中央部に截頭円錐状のスペーサ部３、３を突設し、該スペーサ部３、３の間に、夫々横孔４、４を設けると共に、前記各スペーサ部３、３の中央部へ夫々連結孔６、６を設けて組立てコンクリートブロックユニット５を構成し、前記長ブロックユニット５の３つを一組としてその１つを水平にし、他の２つを斜めに配して側面三角形状の配列コンクリートブロックを構成し、この配列コンクリートブロックと線対称形の配列コンクリートブロックも構成し、前記配列コンクリートブロックを交互に複数重ね合わせにし、前記夫々の連結孔に連結部材を挿通して前記重ね合わせた全配列コンクリートブロックを一体的に緊締したことを特徴とする組立てコンクリートブロック。
【請求項３】
請求項１記載の短ブロック７１つと、請求項２記載の長ブロック１２つを一組として、長ブロック１の上部へ長ブロック１をずらして積み上げ、一側へ短ブロックを配して、正面平行四辺形形状のブロックで配列コンクリートブロックを構成し、該平行四辺形形状の配列コンクリートブロックの線対称形の配列コンクリートブロックも構成し、前記配列コンクリートブロックを交互に複数重ね合わせにし、前記夫々の連結孔に連結部材を挿通して前記重ね合わせた全配列コンクリートブロックを一体的に緊締したことを特徴とする組立てコンクリートブロック。
【請求項４】
請求項１記載の短ブロック２つと、請求項２記載の長ブロック１つを一組とし、前記長ブロックの中央部へ、前記短ブロックを積み上げると共に、一側へ短ブロックを斜に設置して正面台形のブロックを構成し、該正面台形のブロックと線対称形のブロックも構成し、前記２つの正面台形のブロックとの２つを複数重ねて、夫々の連結孔に連結部材を夫々挿通して前記重ねた正面台形のブロックを一体的に緊締したことを特徴とする組立てコンクリートブロック。
【請求項５】
消波敷設材３３上へ、請求項２記載の組立てコンクリートブロックを所定長さに連結し、その底辺を下にして設置し、ついで前記各組立てコンクリートブロックの上部間隙へ、前記組立てコンクリートブロックを、底辺を上にして設置した構造物又は前記底辺上へ他の組立てコンクリートブロックの底辺を重ねて長い構造物としたことを特徴とする組立てコンクリートブロックを用いた土木構造物。
【請求項６】
請求項１又は２記載の短ブロックユニット又は長ブロックユニットの複数を地盤上に敷設し、該短ブロックユニット又は長ブロックユニット上へ、請求項１、２又は３記載の組立てコンクリートブロックを一段又は複数段積み上げて長い構造物としたことを特徴とするコンクリートブロックを用いた土木構造物。
【請求項７】
請求項１又は２記載の短ブロックユニット又は長ブロックユニットの複数を地盤上に敷設し、該短ブロックユニット又は長ブロックユニット上へ、請求項１、２又は３記載の組立てコンクリートブロックを一段又は複数段積み上げて長い構造物の一側又は両側へ補強土石を敷設したことを特徴とするコンクリートブロックを用いた土木構造物。
【発明の詳細な説明】
【０００１】
【発明の属する技術分野】
この発明は、複数のブロックユニットをスペーサを介し連結部材で緊締して三次元的構造の組立コンクリートブロックとし、これを水底地盤上に据付けて消波能力の優れた土木構造物とすることを目的とした組立コンクリートブロックおよびこれを用いた土木構造物に関する。
【０００２】
【従来の技術】
従来消波又は海岸堤防や河床の洗堀を防止する目的で、方形のコンクリートブロックや、異形コンクリートブロックが多用されており、その形状、重量も様々であって、多くは防波堤や海岸堤防の前面に投入されており、重いものは一個十トンに達するものもある。
【０００３】
従来長ブロックユニットと、短ブロックユニットを連結部材で緊締したコンクリートブロック連結体の発明が知られていた（特公平７−４２６８９号公報）。
【０００４】
また球形中空体を連結して人工魚礁又は消波構造物とした発明も知られていた（特開昭５５−７０１２号公報）。
【０００５】
【発明により解決しようとする課題】
前記従来使用されているコンクリートブロックは、個別である為に波浪により移動し、当初の投入形態を保つ場合が少なく、従って目的とする効果も逐次低減する傾向にある。そこで移動を少なくする為に、形状に工夫を加え（異形）ると共に、大重量（十トン位）にすることも試みられているが、未だ目的を十分達成できない問題点があった。
【０００６】
前記長ブロックユニットと、短ブロックユニットを単に連結した屈曲自在な連鎖状構造物は、コンクリートブロック自体の消波性能が小さいので、消波ブロックとしては不十分であった。
【０００７】
また球形中空体の立体的連結体（組立コンクリートブロック）は、消波性、連結部材の耐久性などに特徴があるが、防波堤又は海岸堤防の前面に設置するのはよいけれども、前記防波堤等と兼用はできない問題点があった。
【０００８】
更に水底に設置した場合に、魚類の養殖場になったり、構造物の根固めなどの両方に有効なコンクリートブロックはなかった。
【０００９】
前記従来の大型、大重量コンクリートブロックは、異形であったり、大重量であったりするので、製造場所、運搬及び投入などの取扱いに著しい制約があり、運搬及び投入が困難になる問題点もあった。
【００１０】
また大型、大重量コンクリートブロックであっても、波浪により位置を変え、洗堀その他の原因によって、所期の目的が達成できなくなる場合が多く、定期的補修、改修が必要であって永久構造物になり得ない問題点もあった。
【００１１】
【課題を解決する為の手段】
この発明は、長短ブロックユニットを連結部材で組立て、隙間面積の大きい、一体的組立コンクリートブロックとしたので、各ブロックユニットの連結によって無制限に大型、かつ大重量にできると共に、製造組立てが容易であって、成形、運搬、投入その他、従来大型コンクリートブロックに見られるような制約は一切なくなり、前記種々の問題点を悉く解決したのである。
【００１２】
更に水底に設置した場合には、空隙が多いことから魚介類の養殖、海藻の繁殖にも有効となった。
【００１３】
この発明は、直方体状の短ブロックの上下面の左右両側に、台形状の凸部８、８を設け、前記短ブロック７の前面左右に、截頭円錐状のスペーサ部９、９を設け、該スペーサ部９、９の中間部に横孔１１を設けると共に、前記スペーサ部９、９の中央部に連結孔１２、１２を設けて短ブロックユニット１０とし、該短ブロックユニット１０の３つを一組とし、その２つを上下にずらして積み上げ、他の１つを斜に配置して、前記一方の短ブロックの凸部８を他方の短ブロックの平面に当接掛止させて正面平行四辺形の配列コンクリートブロックを構成し、該配列コンクリートブロックの線対称形の配列コンクリートブロックも構成し、前記配列コンクリートブロックを交互に複数列重ね合せにし、前記夫々の連結孔に連結部材を挿通して前記重ね合わせた全配列コンクリートブロックを一体的に緊締したことを特徴とする組立てコンクリートブロックであり、長ブロック１の上下面の左右両側及び中央部に、台形状の凸部２、２を設け、前記長ブロック１の前面左右両側及び中央部に截頭円錐状のスペーサ部３、３を突設し、該スペーサ部３、３の間に、夫々横孔４、４を設けると共に、前記各スペーサ部３、３の中央部へ夫々連結孔６、６を設けて組立てコンクリートブロックユニット５を構成し、前記長ブロックユニット５の３つを一組としてその１つを水平にし、他の２つを斜めに配して側面三角形状の配列コンクリートブロックを構成し、この配列コンクリートブロックと線対称形の配列コンクリートブロックも構成し、前記配列コンクリートブロックを交互に複数重ね合わせにし、前記夫々の連結孔に連結部材を挿通して前記重ね合わせた全配列コンクリートブロックを一体的に緊締したことを特徴とする組立てコンクリートブロックである。
【００１４】
次に他の発明は、請求項１記載の短ブロック７１つと、請求項２記載の長ブロック１２つを一組として、長ブロック１の上部へ長ブロック１をずらして積み上げ、一側へ短ブロックを配して、正面平行四辺形形状のブロックで配列コンクリートブロックを構成し、該平行四辺形形状の配列コンクリートブロックの線対称形の配列コンクリートブロックも構成し、前記配列コンクリートブロックを交互に複数重ね合わせにし、前記夫々の連結孔に連結部材を挿通して前記重ね合わせた全配列コンクリートブロックを一体的に緊締したことを特徴とする組立てコンクリートブロックであり、請求項１記載の短ブロック２つと、請求項２記載の長ブロック１つを一組とし、前記長ブロックの中央部へ、前記短ブロックを積み上げると共に、一側へ短ブロックを斜に設置して正面台形のブロックを構成し、該正面台形のブロックと線対称形のブロックも構成し、前記２つの正面台形のブロックとの２つを複数重ねて、夫々の連結孔に連結部材を夫々挿通して前記重ねた正面台形のブロックを一体的に緊締したことを特徴とする組立てコンクリートブロックである。
【００１５】
また他の発明は、消波敷設材３３上へ、請求項２記載の組立てコンクリートブロックを所定長さに連結し、その底辺を下にして設置し、ついで前記各組立てコンクリートブロックの上部間隙へ、前記組立てコンクリートブロックを、底辺を上にして設置した構造物又は前記底辺上へ他の組立てコンクリートブロックの底辺を重ねて長い構造物としたことを特徴とする組立てコンクリートブロックを用いた土木構造物であり、請求項１又は２記載の短ブロックユニット又は長ブロックユニットの複数を地盤上に敷設し、該短ブロックユニット又は長ブロックユニット上へ、請求項１、２又は３記載の組立てコンクリートブロックを一段又は複数段積み上げて長い構造物としたことを特徴とするコンクリートブロックを用いた土木構造物である。
【００１６】
また他の発明は、請求項１又は２記載の短ブロックユニット又は長ブロックユニットの複数を地盤上に敷設し、該短ブロックユニット又は長ブロックユニット上へ、請求項１、２又は３記載の組立てコンクリートブロックを一段又は複数段積み上げて長い構造物の一側又は両側へ補強土石を敷設したことを特徴とするコンクリートブロックを用いた土木構造物である。
【００１７】
前記組立コンクリートブロックを２列以上一体的に固定することによって、恰も単一コンクリートブロックの如くになるので、大型・大重量のコンクリートブロックを成形することなく、同一作用効果を奏する大型、大重量コンクリートブロックと同様の作用効果を期待できるのみならず、各ブロックユニットは連結部材で連結されているので、柔構造をなしている。
【００１８】
前記組立コンクリートブロックの連結部材の位置は、夫々正三角形の頂点に位置しているので、外力を受けた場合（例えば波浪）に、これに耐え得る力点は連結部材となり、力が均等に分散するので、局部的に許容以上の外力が働くおそれはない。
【００１９】
この発明の組立コンクリートブロックは、上下左右に多数の凹凸があり、空隙が頗る多く、消波に好適であり、かつ魚介類の繁殖にもきわめて有効である。
【００２０】
この発明の組立コンクリートブロックは、スペーサにより所定の間隔を保持されているから、ブロックユニットの上面に波浪が衝突すると、波はこの面で寸断され、さらにブロックユニットの側面側には、ブロックユニットで形成される外側の三角形とともに、中央に小三角形の開口部が形成され、かつブロックユニット連結孔間の中間にも貫通した横孔が設けられることにより、側面方向から衝突した波は撹拌され、そのエネルギーもよく吸収される。
【００２１】
【発明の実施の形態】
この発明は、上下面の左右両側及び中央部に夫々台形の凸部を有し、前面の左右両側及び中央部にスペーサ部を有し、該スペーサ部の中間部に横孔を有すると共に、前記スペーサ部の中央に連結孔を有する直方体状の長ブロックユニットと、上下面の左右両側に夫々台形の凸部を有し、前面の左右両側にスペーサ部を有し、該スペーサ部の中間に横孔を有する直方体状の短ブロックユニットの一方又は両方を用いる組立コンクリートブロックである。
【００２２】
前記長ブロックユニットの上部に、他の長ブロックユニットを半ピッチ（スペーサ部の間隔を１ピッチとして）ずらして重ねると共に、この重ねた長ブロックユニットの左側へ、前記短ブロックユニットを斜め（４５度）に配し、（図１（ａ））、又は重ねた長ブロックユニットの右側へ前記短ブロックユニットを斜め（４５度）に配し（図１（ｂ））て、前記連結孔に直角な面を平行四辺形状に構成する。
【００２３】
前記図１（ａ）の平行四辺形状のコンクリートブロックと、前記図１（ｂ）の平行四辺形状のコンクリートブロックとを前後（図１中）に重ね、前記連結孔に連結部材を挿通して、前記コンクリートブロック同士を緊締すれば、この発明の組立コンクリートブロックの一種が構成できる。
【００２４】
次に長ブロックユニットの上部中央に短ブロックユニットを重ねると共に、重ねコンクリートブロックの左側に短ブロックユニットを斜めに配置し、又は前記重ねコンクリートブロックの右側に短ブロックユニットを斜めに配置し、前記連結孔に直角な面を台形状に構成する。
【００２５】
前記図４（ａ）の台形状のコンクリートブロックと、前記図４（ｃ）の台形状のコンクリートブロックとを前後（図４中）に重ね、前記連結孔に連結部材を挿通して、前記コンクリートブロック同士を緊締すれば、この発明の組立コンクリートブロックの他種が構成できる。
【００２６】
また横置した長ブロックユニットの左側上部に、他の長ブロックユニットの下端側を載せて６０度に傾斜させると共に、前記横置した長ブロックユニットの右側（図５中（ａ））外に、他の長ブロックユニットの下端を置き、６０度に傾斜させて、前記横置した長ブロックユニット上に載せた長ブロックユニットを支えて、連結孔に対し直角な面を正三角形状に構成する。
【００２７】
前記正三角形状のコンクリートブロック（図５（ａ））と、線対称のコンクリートブロック（図５（ｃ））とを前後に並べ、前記連結孔に連結部材を挿通して緊締すれば、この発明の組立コンクリートブロックの他種が構成できる。
【００２８】
前記平行四辺形状の組立コンクリートブロック又は、台形状の組立コンクリートブロック又は三角状の組立コンクリートブロックを、水底地盤上に設置して消波堤防等（土木構造物）を構築する。
【００２９】
前記消波堤防等は、設置場所における波力等の外力に対応して補強基礎等を設置することにより、長期間に亘り有効な土木構造物ができる。
【００３０】
【実施例１】
この発明の組立コンクリートブロックの実施例を図１、２、３、６、７に基づいて説明する。直方体状の長ブロック１の上下面（図６（ｂ））の左右両側及び中央部に、台形状の凸部２、２を設け、前記長ブロック１の前面の左右両側及び中央部に截頭円錐状のスペーサ部３、３を突設し、該スペーサ部３、３の間に、夫々横孔４、４（前面に直角）を設けると共に、前記各スペーサ部３、３の中央部へ夫々連結孔６、６を設けてこの発明の長ブロックユニット５を構成する（図６（ａ））。
【００３１】
また直方体状の短ブロック７の上下面（図７（ｂ））の左右両側に、台形状の凸部８、８を設け、前記短ブロック７の前面左右両側に、截頭円錐状のスペーサ部９、９を設け、該スペーサ部９、９の中間部に横孔１１を設けると共に、前記スペーサ部９、９の中央部に連結孔１２、１２を設けて、この発明の短ブロックユニット１０を構成する。
【００３２】
次にこの発明の組立コンクリートブロックの実施例について説明する。長ブロックユニット５の上へ他の長ブロックユニット５を半ピッチ右側へずらして重ね（図１（ａ））、この重なった長ブロックユニット５、５の左側へ短ブロックユニット１０を斜め（約４５度）に配置して、連結孔６、１２に直角な面で、平行四辺形状の配列コンクリートブロック１４を構成し、この配列コンクリートブロック１４と線対称形の平行四辺形状の配列コンクリートブロック１４ａも構成し、前記配列コンクリートブロック１４と１４ａを、スペーサ部３を挟んで複数列並列させると共に、夫々の連結孔６、６又は６、１２へ、連結部材１３、１３を挿通し、緊締することにより組立コンクリートブロック１５を構成した。
【００３３】
次に短ブロックユニット１０の上へ他の短ブロックユニット１０を半ピッチ（連結孔間隔を１ピッチとする）ずらして重ね、ついで二個の短ブロックユニット１０、１０の左側（図３（ａ））へ、他の短ブロックユニット１０を４５度傾斜して設置することにより配列コンクリートブロック１６を構成し、該配列コンクリートブロック１６の線対称の配列コンクリートブロック１６ａも構成する。前記配列コンクリートブロック１６、１６ａを交互に複数列重ね合わせ、その連結孔に連結部材１３、１３を挿通して緊締すれば、平行四辺形状の組立コンクリートブロック１７が構成される。
【００３４】
前記図１、図３の平行四辺形状組立コンクリートブロック１５、１７は安定した形状であって、外力に対し強固な、かつ一体的コンクリートブロックである。
【００３５】
【実施例２】
この発明の他の実施例を図４、６、７について説明する。この実施例における長ブロックユニット５と、短ブロックユニット１０は、実施例１と同一につき、その説明を省略する。前記長ブロックユニット５の上部中央に、短ブロックユニット１０を重ねると共に、この重ねたブロックユニットの左側に短ブロックユニット１０を傾斜（４５度）して配置した配列コンクリートブロック１８と、前記重ねたブロックユニットの右側に短ブロックユニット１０を傾斜（４５度）して配置した配列コンクリートブロック１８ａとを交互に複数個並列し、前記各配列コンクリートブロック１８、１８ａの同一位置と高さの連結孔６、１２、又は１２、１２に共通の連結部材１９を挿通して緊締すれば、前記連結部材１９と直角な面が台形状の組立コンクリートブロック２０を構成することができる。
【００３６】
この組立コンクリートブロック２０は、各連結孔の位置が三角形の頂点に位置し、全体として力のバランスが良好であり、波浪のような強い外力を受けても連結部材１９が局所的に破断するおそれがなく、耐久性のきわめて大きい組立コンクリートブロック２０である。前記連結部材１９は、局所的繰り返し応力を受けることが少ないので、破断するおそれがない。
【００３７】
【実施例３】
この発明の他の実施例を図５、６について説明する。この実施例における長ブロックユニット５は実施例１と同一に付その説明を省略する。
【００３８】
図５（ａ）において、横置した長ブロックユニット５の左側上部に、他の長ブロックユニット５ｂの下端を当接し、これを傾斜（６０度）させると共に、前記長ブロックユニット５ａの右端側に長ブロックユニット５ｃを左倒しに傾斜（６０度）させて、前記長ブロックユニット５ｂを支えさせ、連結孔に直角な面で正三角形状の配列コンクリートブロック２１を構成した。各長ブロックユニットの対応する各連結孔は同一高さとする。
【００３９】
次に前記配列コンクリートブロック２１と、線対称的な形状の配列コンクリートブロック２１ａを構成し、前記配列コンクリートブロック２１、２１ａを、スペーサ部を介して交互に複数列に並列させると共に、各同一高さの連結孔へ夫々共通の連結部材２２を挿通して緊締固定すれば、複数の配列コンクリートブロック２１、２１ａを一体的に緊締した組立コンクリートブロック２５を構成することができる。
【００４０】
前記組立コンクリートブロック２５の三角形状の連結部材２２は、三角形の頂点位置又は辺位置に配置されているので、組立状態における力のバランスが良好で、耐久性が大きく局部的に大きい外力を受けて連結部材が破断するおそれはない。
【００４１】
【実施例４】
この発明の土木構造物の実施例を図８について説明する。長ブロックユニット５の複数個を連結部材で横に連結した長コンクリートブロック連結体２３ａ、２３ｂ、２３Ｃと、短ブロックユニット１０を横に連結した短コンクリートブロック連結体２４とを水底地盤２６上に敷設し（図８）、前記長コンクリートブロック連結体２３ｂの左端上と、短コンクリートブロック連結体２４の上部とへ、平行四辺形状の組立コンクリートブロック１７を載置し、長コンクリートブロック連結体２３ｃ上へ組立コンクリートブロック１５−１、と組立コンクリートブロック１５−２を順次積み重ねて、二段に積み上げた土木構造物３０とし、該土木構造物３０の右側（図８）へ大割石２７を敷設し、その上に捨石２８を敷設して捨石基礎２９を構築したものである。
【００４２】
前記実施例において、波浪が矢示３１の方向から来た場合に、組立コンクリートブロック１７及び組立コンクリートブロック１５−１、１５−２によって有効に消波されるので、前記土木構造物３０その他の捨石基礎２９は確実に保持される。
【００４３】
【実施例５】
この発明の土木構造物の他の実施例を図９、１０に基づいて説明する。図９は左右水位が同等の堤防であって、水底地盤３２上へ鋼材よりなる格子状の消波敷設材３３を所定面積（堤防の床面積）に亘って敷設し、前記消波敷設材３３上へ三角形状の組立コンクリートブロック２０ａ、２０ｂ、２０ｃを底辺を下にして設置し、ついで組立コンクリートブロック２０ａ、２０ｂ、２０ｃの間へ、底辺を上にした組立コンクリートブロック２０ｄ、２０ｅの底辺上へ、組立コンクリートブロック２０ｆ、２０ｇを底辺を下にして重ね合わせ、該組立コンクリートブロック２０ｆ、２０ｇの間へ割石３４を充填すると共に、その上部へ場所打のコンクリート盤３６を設置してこの発明の土木構造物３５を構成した。図９中３７、３７は消波敷設材３３の左右に設置した大割石よりなる補強構造物、３８、３８は、長ブロックユニット又は短ブロックユニットを連結部材で連結した連結コンクリートブロックである。
【００４４】
前記土木構造物３５は、その左右（図９）地盤付近を、補強構造物３７、３７及び連結コンクリートブロック３８で補強されているので、波浪の大きい港湾の堤防であっても、耐久性が著しく大きい。
【００４５】
次に図１０の土木構造物４０は、水底地面３９を基礎割石４１で補強して水底基礎４２を構築し、この水底基礎４２上に三角形状の組立コンクリートブロック２０ｈ、２０ｉを、底辺を下にして設置し、該組立コンクリートブロック２０ｈ、２０ｉの間へ、底辺を上にした組立コンクリートブロック２０ｊを嵌挿設置したものである。図中４３、４３ａは水面、４４、４５は、前記土木構造物４０の左右（図１０）水底地盤上へ設置した補強土石である。
【００４６】
前記図１０の実施例によれば干満のある海岸（港湾）において、用いられる通水性堤防であり、三角状空間４６その他の空間（例えばスペーサ部によるもの）などによって波浪のエネルギーを有効に吸収するので、消波効果が大きい。
【００４７】
【発明の効果】
この発明の組立コンクリートブロックは、比較的小さいブロックユニットを平行四辺形状、台形状又は三角形状に組み立てて所望大きさ重量のコンクリートブロックに構成できる効果がある。従って製造及び取扱い容易なコンクリートブロックから、従来取扱い困難と考えられていたような大型の組立コンクリートブロックを構成し、容易に設置できる効果がある。
【００４８】
また多数の空隙のある大型コンクリートブロックを容易に得ることができる効果がある。次に前記のような組立コンクリートブロックを水底地盤上へ設置することにより、消波能力及び耐久性が大きく、かつ魚類の養殖及び海藻の繁殖に適する魚礁としても優れており消波と魚礁とを兼用させることもできるなどの諸効果がある。
【図面の簡単な説明】
【図１】（ａ）この発明の平行四辺形状組立コンクリートブロックの実施例の正面図。
（ｂ）同じく他の実施例の正面図。
【図２】（ａ）同じく図１（ａ）の側面図。
（ｂ）同じく一部にスペーサ部を介装しなくて当接した部分を含む実施例の側面図。
【図３】（ａ）同じく短ブロックユニットを用いた平行四辺形状組立コンクリートブロックの実施例の正面図。
（ｂ）同じく（ａ）の側面図。
（ｃ）同じく他の実施例の正面図。
【図４】（ａ）同じく台形状の組立コンクリートブロックの実施例の正面図。
（ｂ）同じく（ａ）の側面図。
（ｃ）同じく他の実施例の正面図。
【図５】（ａ）同じく三角形状の組立コンクリートブロックの実施例の正面図。
（ｂ）同じく（ａ）の側面図。
（ｃ）同じく他の実施例の正面図。
【図６】（ａ）同じく長ブロックユニットの実施例の斜視図。
（ｂ）同じく正面図。
（ｃ）同じく（ｂ）中Ａ−Ａ断面図。
（ｄ）同じく（ｂ）中Ｂ−Ｂ断面図。
【図７】（ａ）同じく短ブロックユニットの実施例の斜視図。
（ｂ）同じく正面図。
【図８】同じく平行四辺形状の組立コンクリートブロックを用いた土木構造物の実施例の一部を省略した正面図。
【図９】同じく三角形状の組立コンクリートブロックを積層した土木構造物の実施例の一部を省略した正面図。
【図１０】同じく他の実施例の一部を省略した正面図。
【符号の説明】
１  長ブロック
２  凸部
３  スペーサ部
４  横孔
５  長ブロックユニット
６  連結孔
７  短ブロック
８  凸部
９  スペーサ部
１０  短ブロックユニット
１１  横孔
１２  連結孔
１３  連結部材
１４  配列コンクリートブロック
１５、１５ａ、１７  組立コンクリートブロック
１６、１６ａ  配列コンクリートブロック
１８、１８ａ  配列コンクリートブロック
１９  連結部材
２０  組立コンクリートブロック
２１、２１ａ  配列コンクリートブロック
２２  連結部材
２５  組立コンクリートブロック
３０、３５、４０  土木構造物
【図１】
0003852567.tif 000002
【図２】
0003852567.tif 000003
【図３】
0003852567.tif 000004
【図４】
0003852567.tif 000005
【図５】
0003852567.tif 000006
【図６】
0003852567.tif 000007
【図７】
0003852567.tif 000008
【図８】
0003852567.tif 000009
【図９】
0003852567.tif 000010
【図１０】
0003852567.tif 000011